【手続補正書】
【提出日】平成18年10月31日(2006.10.31)
【手続補正１】
【補正対象書類名】特許請求の範囲
【補正対象項目名】全文
【補正方法】変更
【補正の内容】
【特許請求の範囲】
【請求項１】
機械エネルギーを蓄積する機械エネルギー蓄積機構と、
蓄積された前記機械エネルギーを用いてシートの搬送及び／または前記シートへの印刷を行う機械エネルギー利用機構と、を備え、
前記機械エネルギー利用機構は、機械エネルギーにより動作し、前記シートを搬送するシート搬送機構と、機械エネルギーから変換された電気エネルギーにより動作し、前記シートへの印刷を制御する印刷制御装置と、を含む
ことを特徴とする印刷装置。
【請求項２】
外部から付与された機械エネルギーを蓄積する機械エネルギー蓄積機構と、
前記機械エネルギーによりシートを搬送するシート搬送機構と、
前記機械エネルギーにより印刷ヘッドを搬送するヘッド搬送機構と、
前記機械エネルギーを電気エネルギーに変換する電気エネルギー変換機構と、
前記電気エネルギー変換機構により変換された前記電気エネルギーを蓄積する電気エネルギー蓄積装置と、
前記電気エネルギーにより動作し、前記シート搬送機構による前記シートの搬送及び／または前記ヘッド搬送機構による前記印刷ヘッドの搬送を制御する機構制御装置と、
前記電気エネルギーにより動作し、印刷情報に基づいて前記印刷ヘッドの前記シートへの印刷を制御する印刷制御装置とを備えることを特徴とする印刷装置。
【請求項３】
使用者の操作による力を前記機械エネルギー蓄積機構に伝達可能に構成されている、請求項１または２に記載の印刷装置。
【請求項４】
圧縮された気体による押圧力を前記機械エネルギー蓄積機構に伝達可能に構成されている、請求項１または２に記載の印刷装置。
【請求項５】
前記機械エネルギー蓄積機構は、弾性エネルギーを前記機械エネルギーとして蓄積する、請求項１乃至４のいずれかに記載の印刷装置。
【請求項６】
前記機械エネルギー蓄積機構は、気体の内部エネルギーを前記機械エネルギーとして蓄積する、請求項１乃至４のいずれかに記載の印刷装置。
【請求項７】
前記電気エネルギー変換機構は、前記機械エネルギー蓄積機構に蓄積された前記機械エネルギーが解放される際の機械エネルギーを前記電気エネルギーに変換可能に構成されている、請求項１または２に記載の印刷装置。
【請求項８】
前記電気エネルギー変換機構は、前記機械エネルギー蓄積機構に前記機械エネルギーを蓄積する際に当該機械エネルギーの一部を前記電気エネルギーに変換可能に構成されている、請求項１乃至３のいずれかに記載の印刷装置。
【請求項９】
前記シートの位置及び前記印刷ヘッドの位置を検出する位置検出手段をさらに備え、  検出された前記シートの位置及び／または前記ヘッドの位置を参照して、前記シートの搬送、前記印刷ヘッドの搬送、及び／または前記印刷情報に基づく前記印刷ヘッドの印刷を制御するように構成されている、請求項２乃至８のいずれかに記載の印刷装置。
【請求項１０】
前記印刷制御装置は前記印刷情報として、外部から送信されてきた情報、記憶装置に格納されている情報、着脱自在に設けられた記憶媒体に格納されている情報、及び入力装置から入力された操作情報の中から選ばれる一つ以上の情報を利用可能に構成されている、請求項２乃至９のいずれかに記載の印刷装置。
【請求項１１】
前記印刷制御装置は、入力装置から入力された操作情報を所定の図形または文字を表す印字情報に変換する変換手段を備える、請求項２乃至９のいずれかに記載の印刷装置。
【請求項１２】
前記機構制御装置及び前記印刷制御装置の少なくとも一方が、非同期回路により構成されている、請求項２乃至１１のいずれかに記載の印刷装置。
【請求項１３】
シートに印刷するための印刷装置であって、
使用者の操作による機械エネルギーを蓄積する機械エネルギー蓄積機構と、
前記機械エネルギー蓄積機構に蓄積された機械エネルギーの解放を規制する規制機構と、
前記規制機構による規制が解除された場合に、前記機械エネルギー蓄積機構から解放された機械エネルギーにより前記シートを搬送するシート搬送機構と、
前記機械エネルギー蓄積機構から解放された機械エネルギーにより印刷ヘッドを搬送するヘッド搬送機構と、
前記機械エネルギー蓄積機構から解放された機械エネルギーを電気エネルギーに変換する電気エネルギー変換機構と、
前記電気エネルギー変換機構により変換された前記電気エネルギーを蓄積する電気エネルギー蓄積装置と、
前記電気エネルギー蓄積装置に蓄積された電気エネルギーにより動作し、前記シート搬送機構による前記シートの搬送及び／または前記ヘッド搬送機構による前記印刷ヘッドの搬送を制御する機構制御装置と、
前記電気エネルギー蓄積装置に蓄積された電気エネルギーにより動作し、印刷情報に基づいて前記印刷ヘッドの前記シートへの印刷を制御する印刷制御装置とを備えることを特徴とする印刷装置。
【請求項１４】
前記シート搬送機構は、前記ヘッド搬送機構により前記印刷ヘッドが所定位置に達した場合に前記シートの搬送の規制が解除され、所定量だけ前記シートが搬送された後に規制され、
前記ヘッド搬送機構は、前記シート搬送機構により前記シートが所定位置に搬送されている場合に前記印刷ヘッドの前記シート幅方向への搬送の規制が解除され、前記シートの幅だけ前記印刷ヘッドが搬送された後に規制されるよう構成されていることによって、
前記シート搬送機構と前記ヘッド搬送機構との間で交互に規制と解除が繰り返させる交互規制機構を備える、請求項２または１３に記載の印刷装置。
【請求項１５】
規制レバーで仮固定可能に構成されたラチェット機構を備え、当該ラチェット機構により前記機械エネルギー蓄積機構に蓄積された前記機械エネルギーの規制と解除とが行われる、請求項２乃至１４のいずれかに記載の印刷装置。
【請求項１６】
前記シートの搬送方向が一定方向である、請求項１乃至１５のいずれかに記載の印刷装置。
【請求項１７】
前記シートの搬送方向が、前記機械エネルギーの蓄積時と解放時とで異なる方向である、請求項１乃至１５のいずれかに記載の印刷装置。
【手続補正２】
【補正対象書類名】明細書
【補正対象項目名】０００６
【補正方法】変更
【補正の内容】
【０００６】
上記目的を達成するため、本発明は、機械エネルギーを蓄積する機械エネルギー蓄積機構と、蓄積された機械エネルギーを用いてシートの搬送及び／またはシートへの印刷を行う機械エネルギー利用機構と、を備えたことを特徴とする印刷装置である。そして、機械エネルギー利用機構は、機械エネルギーにより動作し、シートを搬送するシート搬送機構と、機械エネルギーから変換された電気エネルギーにより動作し、シートへの印刷を制御する印刷制御装置と、を含む。
【手続補正３】
【補正対象書類名】明細書
【補正対象項目名】００１６
【補正方法】変更
【補正の内容】
【００１６】
ここで、電気エネルギー変換機構は、機械エネルギー蓄積機構に蓄積された機械エネルギーが解放される際の機械エネルギーを電気エネルギーに変換可能に構成されている。この構成は、外部からの力を一旦機械エネルギー蓄積機構に蓄積し、蓄積された機械エネルギーを電気エネルギーに変換する構成である。
【手続補正４】
【補正対象書類名】明細書
【補正対象項目名】００１７
【補正方法】変更
【補正の内容】
【００１７】
一方、電気エネルギー変換機構は、機械エネルギー蓄積機構に機械エネルギーを蓄積する際に当該機械エネルギーの一部を電気エネルギーに変換可能に構成されていてもよい。この構成は、外部からの力を機械エネルギー蓄積機構に蓄積しながら、それと並行して電気エネルギーへの変換も実施するような構成である。